(57)【要約】【課題】ラウンド型ショーケースのコーナーケースに適用するオープンショーケースを対象に、保冷性能を損なうことなく、庫内全域をムラなく均等に保冷できるように庫内への冷気吹き出し方式を改良した冷気循環式のオープンショーケースを提供する。【解決手段】冷却器６，冷気ファン７を内蔵した舟底部２、ダクト部３、天蓋部４からなる外周面開放形のケース本体１の庫内に商品陳列棚８を架設した冷気循環式のオープンショーケースであり、舟底部２の外周に開口した冷気吸込口２ａを通じて回収した庫内冷気を冷却器６，ダクト部３の冷気通風路３ａを経由して庫内に吹き出すよう循環送風して庫内を保冷するようにしたものにおいて、ダクト部３の上端を閉止した上で、ダクト部に布設した背面板５には各段の商品陳列棚８に対応する冷気吹出口５ａを開口し、舟底部２を経由して冷気送風路３ａに導風した冷気の全風量を背面板５の冷気吹出口５ａを通じて庫内空間に向けて吹き出すようにする。【選択図】図１
2012143313.tif 000002
【特許請求の範囲】
【請求項１】
冷却器，および冷気ファンを内蔵した舟底部と、該舟底部に連通してその後部に立設したダクト部と、および該冷気ダクト部の頂部に設けた天蓋部とからなる外周面開放形のケース本体の庫内に上下段に並ぶ商品陳列棚を架設した冷気循環式のオープンショーケースであり、
前記舟底部の外周部に冷気吸込口を開口し、該冷気吸込口を通じて舟底部に回収した庫内冷気を前記冷却器，およびダクト部の冷気通風路を経由して庫内に吹き出すように循環送風して庫内を保冷するようにしたものにおいて、
前記ダクト部の上端を閉止した上で、ダクト部の庫内側に布設した背面板には各段の商品陳列棚に対応する冷気吹出口を開口し、舟底部を経由してダクト部の冷気送風路に導風した冷気の全風量を前記背面板の冷気吹出口を通じて庫内空間に吹き出すようしたことを特徴とするオープンショーケース。
【請求項２】
請求項１に記載のオープンショーケースにおいて、各段の商品陳列棚に対応して背面板に分散開口した冷気吹出口に、風量調節ダンパーを付設したことを特徴とするオープンショーケース。
【請求項３】
請求項１に記載のオープンショーケースにおいて、ケース本体の天蓋部に外気取込口，外気ファン，およびエアカーテン吹出口を設け、ケース本体の開放面域に沿ってその前方に外気エアカーテンを吹き出し形成するようにしたことを特徴とするオープンショーケース。
【発明の詳細な説明】
【技術分野】
【０００１】
本発明は、スーパーマーケットなどの店舗に据付けたラウンド型ショーケースのコーナーケースに適用するショーケースを対象とした冷気循環式のオープンショーケースに関する。
【背景技術】
【０００２】
まず、頭記したラウンド型ショーケースのコーナーケースに適用する冷気循環式オープンショーケースの従来構造を図４に示す。図において、１は前面，および左右側面（もしくは一方の側面域）を開放した外形形状になるケース本体、２はケース本体１の舟底部、３は舟底部２の後部に立設したフレーム構造のダクト部、４はダクト部３の頂部に設けた天蓋部、５はダクト部３の前面に布設した庫内の背面板、６は舟底部２に配した冷却器、７は冷気ファン、８は上下段に並べてケース本体１の背面板５に架設した商品陳列棚、９は舟底部２の上面に配したデッキパンであり、舟底部２にはその外周部（前縁，側縁）に沿って冷気吸込口２ａが開口し、天蓋部４には庫内の開放面域に向けてエアカーテン吹出口４ａが開口している。
【０００３】
上記の構成で、ショーケースの保冷運転時には図示矢印のように冷却器６と熱交換してダクト部３の冷気通風路３ａに導風された冷気流Ａの一部は背面板５に分散開口した冷気吹出口（パンチング穴）５ａを通じて庫内空間に向けて吹き出し（矢印Ａ１）、残りの冷気主流は天蓋部４のエアカーテン吹出口４ａから舟底部２の外周部に開口した冷気吸込口２ａに向け、ケース本体１の開放面（前面，側面）に沿って冷気エアカーテンＡ２を斜め下方に吹き出し形成する。そして、背面板５の冷気吹出口５ａを通じて庫内に吹き出した冷気流Ａ１、および天蓋部４のエアカーテン吹出口４ａからケース本体１の開放面域に吹き出した冷気エアカーテンＡ２は冷気吸込口２ａを通じて舟底部２に回収され、冷気ファン７，冷却器６を経て再びダクト部３の冷気通風路３ａに戻るように循環送風される。
【０００４】
ところで、前記ラウンド形ショーケースのコーナーケースのようにケース本体１の前面，および側面が開放されている冷気循環形のオープンショーケースでは、その天蓋部４のエアカーテン吹出口４ａからケース本体１の開放面全域に均一な冷気エアカーテンを吹き出し形成することが困難であり、特にケース本体１のコーナー部分はエアカーテンの死角となってその開放面に吹き出す冷気エアカーテンＡ２は下流に向けて拡散するためにエアカーテンの層が薄くなって周囲から外気熱が侵入し易くなり、このために保冷性能が損なわれるほか、庫内全域をムラなく均等に保冷することが困難となる。
【０００５】
そのほか、庫内底部に配したデッキパン９には背の高い紙パック商品などを多量に陳列することが多く、この商品が冷気吸込口２ａに向けて斜め上方から流下して来る冷気エアカーテンＡ２に干渉してエアカーテン気流を乱し、これが原因で冷気エアカーテンＡ２の一部は舟底部２の冷気吸込口２ａに吸い込まれずに、そのまま庫外前方に漏出してしまってショーケースの保冷性能を低下させる問題もある。
【０００６】
一方、前記問題の対応策として、商品陳列棚の棚内部に冷気ケース本体のダクト部に連通するダクトを形成し、この棚内部のダクトを通じてケース本体のコーナー部分に向け冷気を吹き出すようした構造（例えば、特許文献１参照）、またケース本体のダクト部に連通して庫内空間の隅部に多孔ダクトを追加配置して庫内の隅々までムラなく保冷させるようにしたオープンショーケースの構造（例えば、特許文献２参照）などが知られている。
【先行技術文献】
【特許文献】
【０００７】
【特許文献１】特開２００１−２２１５６３号公報
【特許文献２】特開２００５−３０６５６号公報
【発明の概要】
【発明が解決しようとする課題】
【０００８】
ところで、前記した先行技術文献（特許文献１，特許文献２）に開示されているショーケースは庫内のダクト構造が複雑化して製品がコスト高となる。
また、ケース本体の開放面域に吹き出し形成した冷気エアカーテンの乱れ，庫外への漏出などに起因する保冷性能の低下を補うために、あらかじめショーケースに冷凍能力の高い冷却器を搭載しておくことも考えられるが、この方法では無駄に消費されるエネルギーが増してショーケースの消費電力が必要以上に増加してしまう。
【０００９】
本発明は上記の点に鑑みなされたものであり、先記したラウンド型ショーケースのコーナーケースに適用するオープンショーケースなどを対象に、従来のようにケース本体の開放面域に向けて天蓋部から吹き出し形成する冷気エアカーテンに頼ることなしに、庫内全域をムラなく保冷できるように庫内への冷気吹き出し方式を改良した冷気循環式のオープンショーケースを提供することを目的とする。
【課題を解決するための手段】
【００１０】
上記目的を達成するために、本発明によれば、冷却器，および冷気ファンを内蔵した舟底部と、該舟底部に連通してその後部に立設したダクト部と、および該冷気ダクト部の頂部に設けた天蓋部とからなる外周面開放形のケース本体の庫内に上下段に並ぶ商品陳列棚を架設した冷気循環式のオープンショーケースであり、
前記舟底部の外周部に冷気吸込口を開口し、該冷気吸込口を通じて舟底部に回収した庫内冷気を前記冷却器，およびダクト部の冷気通風路を経由して庫内に吹き出すよう循環送風して庫内を保冷するようにしたものにおいて、
前記ダクト部の上端を閉止した上で、ダクト部の庫内側に布設した背面板には各段の商品陳列棚に対応する冷気吹出口を開口し、舟底部を経由してダクト部の冷気送風路に導風した冷気の全風量を前記背面板の冷気吹出口を通じて庫内空間に吹き出すようにする（請求項１）。
【００１１】
また、本発明は前記構成を基本として、次記のよう付加的要件を加えて構成することができる。
（１）各段の商品陳列棚に対応して背面板に分散開口した冷気吹出口に風量調節ダンパーを付設し、庫内に向けて吹き出す冷気の風量，風速を適正に可変調整できるようにする（請求項２）。
（２）ケース本体の天蓋部に外気取込口，外気ファン，およびエアカーテン吹出口を設け、ケース本体の開放面域に沿ってその前方に外気エアカーテンを吹き出し形成して外気の庫内侵入を抑制するようにする（請求項３）。
【発明の効果】
【００１２】
上記構成において、庫内の背面板に開口した冷気吹出口から庫内の商品陳列空間に向けて前方に吹き出す冷気の風量，風速を庫内の容積，商品陳列棚の段数，高さ位置，および棚の角度などに応じて適正に設定しておくことにより、各段の商品陳列棚に沿って陳列商品の周域を低風速で通過した冷気流は、そのままケース本体の開放面域を突き抜けて庫外に放散することなく、商品陳列棚の前端を越えたところで庫内空間を自重で自然流下し、最終的に舟底部の外周部に開口した冷気吸込口を通じて回収される。
【００１３】
これにより、ラウンド形オープンショーケースのコーナーケースのように前面，および側面域が開放したケース本体であっても、従来のショーケースのようにケース本体のコーナー部における冷気エアカーテンの形成不良、陳列商品との干渉による冷気エアカーテンの庫外漏出の発生、およびこれに起因する保冷性能低下の問題を解消して庫内全域をムラなく保冷することができる。
【００１４】
また、背面板に開口した冷気吹出口に風量調節ダンパーを付設したことにより、ショーケースの庫内容積、商品陳列棚の段数，取付高さ位置，および棚の角度に対応して、背面板から庫内空間に向けて吹き出す冷気の風量，風速を適正に可変設定することができる。
【００１５】
さらに、ケース本体の天蓋部に外気取込口，外気ファン，およびエアカーテン吹出口を設け、ケース本体の開放面に沿ってその外方に外気エアカーテンを吹き出し形成することにより庫内への外気侵入を抑制することができ、例えば店舗の入口近くで周囲からの気流乱れの影響を受け易い場所に設置するショーケースには有効である。
【００１６】
そのほか、ロケーション先に設置されている従来構造のショーケースに対しても、天蓋部に通じるダクト部の閉止，および背面板に穿設した冷気吹出口を変更するだけの簡単な改造で保冷性能の向上が図れる。
【図面の簡単な説明】
【００１７】
【図１】本発明の実施例によるオープンショーケースの庫内構造を表す側視断面図である。
【図２】図１における背面板，商品陳列棚の配置を模式的に表した正面図である。
【図３】図２の背面板に付設した風量調整ダンパーの構造，機能の説明図であり、（ａ），（ｂ），（ｃ）はそれぞれ全閉，半開，全開の設定状態を表す模式図である。
【図４】従来例のオープンショーケースの庫内構造を表す側視断面図である。
【発明を実施するための形態】
【００１８】
以下、本発明の実施の形態を図１〜図３に示す実施例に基づいて説明する。なお、図示実施例において、図４に対応する部材には同じ符号を付してその説明は省略する。
まず、図１において、実施例の本体ケース１は図４に示した従来例と基本的に同じ構造であるが、ダクト部３の上端を塞いで天蓋部４に通じる冷気通風路３ａを閉止するとともに、背面板５には図２で表すように各段の商品陳列棚８に対応して冷気吹出口５ａを分散開口し、舟底部２を経由してダクト部３の冷気送風路３ａに導風した冷気の全風量を背面板５に開口した冷気吹出口５ａを通じて庫内空間に吹き出すようにしている。
【００１９】
なお、図２において、背面板５に開口した冷気吹出口５ａは、商品陳列棚８で上下に仕切られた商品陳列空間の容積に対応して設定するようにしている。すなわち、図１のようにケース本体１の庫内底部に配したデッキパン９と下段に並ぶ商品陳列棚８との間の容積は、一般に上段棚と下段棚との間の容積，および上段棚の上方容積に比べて大であることから、冷気吹出口５ａを２段に分けて総開口面積を大きく設定している。
【００２０】
また、天蓋部４はその上面後部に外気取込口４ｂを開口した上で、その内側に外気ファン１０を配置し、ショーケースの運転時には外気取込口４ｂより取り込んだ周囲の外気を天蓋部４のエアカーテン吹出口４ａからケース本体１の開放面に沿ってその外側に外気エアカーテンＢを吹き出し形成するようにしている。
【００２１】
上記構成において、ショーケースの保冷運転時には、冷却器６と熱交換してダクト部３の冷気通風路３ａに送風された冷気流Ａは、図示矢印のように上下段に並ぶ商品陳列棚８に合わせて背面板５に分散開口した冷気吹出口５ａを通じて庫内の空間に低風速で吹き出し、各段の商品陳列棚８に陳列した商品（不図示）の周域を通風して商品を保冷する。また、商品陳列棚８を通過した冷気流は棚の先端から自重で下方に自然流下し、最終的には舟底部２の外周部に開口した冷気吸込口２ａを通じて回収され、ここから冷気ファン７，冷却器６を経て再びダクト部３の冷気通風路３ａに送られるように循環送風する。また、ケース本体１の開放面に沿ってその外側には天蓋部４のエアカーテン吹出口４ａから吹き出した外気エアカーテンＢが形成されて、周囲から庫内に外気が侵入するのを防いでいる。なお、外気エアカーテンＢは庫内には入らずに、ケース本体１の前方に流下して周囲に拡散する。
【００２２】
これにより、図４の従来構造で問題となっていたケース本体１のコーナー部分における冷気エアカーテンの形成不良、および陳列商品との干渉による冷気エアカーテンの庫外漏出に起因する冷却性能の低下を解消し、ショーケースの保冷性能を損なうことなく庫内全域をムラなく保冷することができる。
【００２３】
また、図２示した背面板５では、商品陳列棚８の配列に合わせて冷気吹出口５ａの開口面積を固定的に定めているが、ショーケースのユーザーは各段の商品陳列棚５の取付高さを変えたり，棚の角度を変えたりすることから、この変更に対応して冷気吹出口５ａの開口面積を調整できることが望ましい。
【００２４】
そこで、このような要求に対しては、図３で示すように背面板５にスライド式の風量調整ダンパー１１を組み合わせることで簡単に対応できる。すなわち、ダンパー１１は左右に並んで背面板５に穿設した１列分の冷気吹出口５ａに対応して左右スライド可能に支持された長尺板で、その板面には冷気吹出口５ａの配列ピッチに合わせてダンパー穴１１ａが穿設されている。そして、このダンパー１１を左右にスライド移動し、図３（ａ）〜（ｃ）のように「全閉」，「半開」，「全開」の所望位置にセットすることで、商品陳列棚８の取付高さ，棚角度の変更に合わせて、背面板５の冷気吹出口５ａを通じてダクト部３（図１参照）から庫内側に吹き出す冷気の風量，風速が最適となるように調整することができる。
【符号の説明】
【００２５】
１    ケース本体
２    舟底部
２ａ  冷気吸込口
３    ダクト部
３ａ  冷気通風路
４    天蓋部
４ａ  エアカーテン吹出口
４ｂ  外気取込口
５    背面板
５ａ  冷気吹出口
６    冷却器
７    冷気ファン
８    商品陳列棚
９    デッキパン
１０    外気ファン
１１    ダンパー
１１ａ  ダンパー穴
【図１】
2012143313.tif 000003
【図２】
2012143313.tif 000004
【図３】
2012143313.tif 000005
【図４】
2012143313.tif 000006